(57)【特許請求の範囲】
【請求項１】
棚板上に、左右方向を向く起立片を前後に並べて立設するとともに、前記棚板上に、収容物を収容する物品載置台を、前後の起立片に沿って摺動自在として取り付けた棚装置において、
前側の起立片に、前向き、かつ起立片とほぼ同じ長さの水平片を、前記棚板から上方に離間するよう突設するとともに、前記物品載置台の下端部の前後に、前記両起立片を前後から挟む脚部を垂設し、前側の脚部にのみ、前記水平片の下方に入り込む後向きの係合片を突設したことを特徴とする棚装置における物品載置台の摺動装置。
【請求項２】
物品載置台の脚部の下面に、スライダーを取り付けたことを特徴とする請求項１記載の棚装置における物品載置台の摺動装置。
【発明の詳細な説明】
【０００１】
【発明の属する技術分野】
本発明は、棚装置の棚板の上面に、カセットテープや文庫本等の商品を載置する物品載置台を、前後摺動自在に取り付けるようにした、棚装置における物品載置台の摺動装置に関する。
【０００２】
【従来の技術】
このような摺動装置の従来例としては、本出願人による特願平１０−３４８５２６号の出願明細書及び図面に記載されているものがある。
【０００３】
このものは、棚装置の前面に取り付けた水平の棚板の上面に、水平の受片の縁部に垂直の起立片を連設した、左右方向を向く複数のガイドレールを固着し、かつ物品載置台の底部の前後両縁部に設けた脚部を、隣り合う２本のガイドレールの起立片を前後から挾むようにして、各受片に載置することにより、物品載置台を、隣り合う起立片をまたぐようにして、棚板上に取り付けたものであり、物品載置台は、棚板上ガイドレールに沿って左右方向に移動することができるようになっている。
【０００４】
【発明が解決しようとする課題】
しかし、カセットテープ等の商品を一度に大量に載置するなどして、正面から後方に向かって大きな荷重が掛かった場合や、側面に大きな荷重が掛かった場合に物品載置台の前脚が、浮き上がってガードレールの起立片から上方に外れ、物品載置台が転倒するおそれがある。
【０００５】
本発明は、従来の技術が有する上記のような問題点に鑑み、物品載置台の前面や側面に大きな荷重が掛かっても、物品載置台の脚部が棚板に設けられた起立片から外れたり、物品載置台が転倒したりしないようにした、棚装置における物品載置台の摺動装置を提供することを目的としている。
【０００６】
【課題を解決するための手段】
本発明によると、上記課題は次のようにして解決される。
(１)棚板上に、左右方向を向く起立片を前後に並べて立設するとともに、前記棚板上に、収容物を収容する物品載置台を、前後の起立片に沿って摺動自在として取り付けた棚装置において、前側の起立片に、前向き、かつ起立片とほぼ同じ長さの水平片を、前記棚板から上方に離間するよう突設するとともに、前記物品載置台の下端部の前後に、前記両起立片を前後から挟む脚部を垂設し、前側の脚部にのみ、前記水平片の下方に入り込む後向きの係合片を突設する。
【０００７】
（２）上記(１)項において、物品載置台の脚部の下面に、スライダーを取り付ける。
【０００８】
【発明の実施の形態】
以下、本発明の一実施形態を備える棚装置を、図１及び図２に基づいて説明する。
なお、以下の説明において、図１の左下側を「前方」、右上側を「後方」とする。
【０００９】
棚装置における図示を省略した左右１対の支柱の前面には、ブラケットをもって、棚板(１)が取付けられており、棚板(１)の上面には、左右方向を向く４本のガイドレール(２)(３)(４)(５)が、前後に並べて取付けられている。
【００１０】
最前列のガイドレール(２)は、棚板(１)に固着された水平の受片(2a)と、受片(2a)の後縁部に連設された垂直の起立片(2b)と、起立片(2b)の上縁部から前向きに延出する水平片(2c)と、受片(2a)の左右両側縁部に連設された側片(2d)とからなっている。
【００１１】
２列目及び３列目のガイドレール(３)(４)は、最前列のガイドレール(２)の受片(2a)よりも、前後幅が広い受片(3a)(4a)の前後両縁部に起立片(3b)(4b)を設けて、後側の起立片(3b)(4b)に水平片(3c)(4c)を突設し、かつ受片(3a)(4a)の左右両側縁部に側片(3d)(4d)を連設したものである。
【００１２】
最後列のガイドレール(５)は、最前列のガイドレール(２)の受片(2a)と同じ前後幅の受片(5a)の前縁部に起立片(5b)を設けて受片(5a)の左右両側縁部に側片(5d)を連設したものである。
【００１３】
物品載置台(６)は、左右１対の側板(７)と、両側板(７)(７)の下端部同士を連結する底板(８)と、両側板(７)(７)の後部同士を連結する背板(９)とからなり、カセットテープや文庫本等の商品を、底板(８)上に立て掛けて載置しうるようになっている。
【００１４】
側板(７)の前下部には、下向きの脚部(7a)が垂設されており、脚部(7a)の下端部には、後向きの係合片(7b)が突設されている。また側板(７)の後下部には、下向きの脚部(7c)が垂設されている。
【００１５】
本実施形態では、前後に隣り合うガイドレール(２)(３)(４)(５)の間に、前後３列にわたって、物品載置台(６)を取り付けてある。
【００１６】
最前列の左右２個の物品載置台(６)は、その前後の脚部(7a)(7c)に取り付けられた合成樹脂製のスライダー(10)が、ガイドレール(２)(３)の起立片(2b)(3b)に摺接または近接した状態で各受片(2a)(3a)に載置されており、係合片(7b)は、水平片(2c)の下方に入り込んでいる（図１参照）。
【００１７】
２列目の２個の物品載置台(６)は、その前後の脚部(7a)(7c)に取り付けられたスライダー(10)（図２参照）が、ガイドレール(３)(４)の起立片(3b)(4b)に摺接または近接した状態で、各受片(3a)(4a)に載置されており、係合片(7b)は水平片(3c)の下方に入り込んでいる（図２参照）。
【００１８】
最前列と２列目の物品載置台(６)は、ガイドレール(２)(３)(４)に沿って、左右方向に移動することができる。
【００１９】
最後列の３個の物品載置台(６)は、その前後の脚部(7a)(7c)が、前２列の物品載置台(６)と同じ状態で、ガイドレール(４)(５)に取り付けられているが、３個の物品載置台(６)の左右方向の幅の合計は、ガイドレール(４)(５)の左右幅とほぼ等しく、左右両側の物品載置台(６)における外側の脚部(7a)(7c)は、ガイドレール(４)(５)の両側片(4d)(5d)に接近しているため、物品載置台(６)は左右方向に移動不能となっている。
【００２０】
以上説明した本実施形態によれば、物品載置台(６)にカセットテープや文庫本等の商品（図示略）を一度に大量に載置するなどして、物品載置台(６)の正面から後方に向かって、大きな荷重が掛かった場合でも、前側の脚部(7a)の係合片(7b)が、ガイドレール(２)(３)(４)の水平片(2c)(3c)(4c)に当接するので、前側の脚部(7a)がガイドレール(２)(３)(４)から浮き上がるのが防止されている。このため、物品載置台(６)の位置が後方にずれたり、後方に転倒したりすることはない。
【００２１】
また、物品載置台(６)に前方から大きな力が掛かった場合にも前側の脚部(7a)の浮き上がりが防止されるので、物品載置台(６)がガイドレール(２)(３)(４)から外れて転倒したりすることはない。
【００２２】
【発明の効果】
請求項１記載の発明によると、物品載置台に前方から大きな荷重が掛かった場合にも、物品載置台の前側の脚部が、ガイドレールから浮上がるのが防止されるので、物品載置台の位置が後方にずれたり、転倒するのを防止できる。
【００２３】
請求項２記載の発明によると、物品載置台をガイドレールに対して円滑に摺動できるようになるとともに、脚部が摩耗するのを防ぐことができる。
【図面の簡単な説明】
【図１】本発明の一実施形態を備える棚装置の斜視図である。
【図２】同じく、図１の要部の縦断側面図である。
【符号の説明】
(１)棚板
(２)(３)(４)(５)ガイドレール
(2a)(3a)(4a)(5a)受片
(2b)(3b)(4b)(5b)起立片
(2c)(3c)(4c)(5c)水平片
(2d)(3d)(4d)(5d)側片
(６)物品載置台
(７)側板
(7a)脚部
(7b)係合片
(7c)脚部
(８)底板
(９)背板
(10)スライダー
【図１】
0004484292.tif 000002
【図２】
0004484292.tif 000003